(57)【要約】【課題】保管や輸送などを効率的に行うことができ、しかも、容易に包装箱を組み立てることができる包装材及びこの包装材によって組み立てられた包装箱を提供する。【解決手段】交互に連続する多数の溝部と谷部とによって筋目１３，１３…が設けられた正方形状の波形シート１１と、この波形シート１１の片面又は両面に貼り合わされた正方形状のライナー１２とからなる正方形状の段ボールシート１０に折り目及び切れ目２０が入れられた包装材によって包装箱を組み立てる。段ボールシート１０の各辺１０ａ，１０ｂの中心部を結ぶ４本のラインに、筋目１３を４５度斜め向きとする４本の外側の折り目３１を入れ、この外側の折り目３１の内側に４本の内側の折り目３２を入れる。外側の折り目３１の外側に３角形状の４枚の天板部４１、両折り目３１，３２間に長方形状の４枚の側部４２、内側の折り目３２内に正方形状の底部４３を設ける。【選択図】  図１
2009018842.tif 000002
【特許請求の範囲】
【請求項１】
交互に連続する多数の溝部と谷部とによって筋目が設けられ、かつ、該筋目と平行に２辺が設けられ、筋目と直角に他の２辺が設けられた正方形状の波形シートと、該波形シートの片面又は両面に貼り合わされた正方形状のライナーとからなる正方形状の段ボールシートに折り目及び切れ目が入れられた包装材であって、
前記段ボールシートの各辺のほぼ中心部に切れ目が入れられ、直角方向に隣り合っている切れ目を結ぶ４本のラインに前記筋目を４５度斜め向きとする外側の折り目を入れることにより、各折り目と段ボールシートの各角部との間に三角形状の天板部が設けられ、前記外側の折り目よりも内側、かつ、外側の折り目と平行な４本のラインに内側の折り目を入れることにより、両折り目間に４枚の側部が設けられ、４本の内側の折り目の内側に正方形状の底部が設けられていることを特徴とする包装材。
【請求項２】
直角方向に隣り合っている側部間に、内側に折り込まれる折込部が設けられていることを特徴とする請求項１に記載の包装材。
【請求項３】
前記段ボールシートの４箇所の角部に鉤形のスリットが設けられていることを特徴とする請求項１又は２に記載の包装材。
【請求項４】
前記請求項１から３のいずれか１項に記載の包装材が各折り目で直角方向に折り曲げられることによって組み立てられたことを特徴とする包装箱。
【発明の詳細な説明】
【技術分野】
【０００１】
本発明は、波形シートとライナーとを貼り合わせた段ボールシートに折り目及び切り目を入れた包装材及びこの包装材によって組み立てられた包装箱に関し、詳しくは、直角２方向の外力を受けても変形しにくいようにした包装材及び包装箱に関する。
【背景技術】
【０００２】
段ボールシートは、衝撃吸収性に優れていることから、包装箱などとして多用されている。例えば、特許文献１には、ダンボール紙を使用し、設計図面通りの位置に折り目を入れることができるようにした包装箱が開示されている。
【０００３】
この包装箱は、図４に示すように、ダンボール紙１００が平面シートと波形シートからなり、波形の溝１００ａを波形シートの縦横方向に対し４５度のバイヤスに形成して組み立てたことを特徴としている。また、ダンボール紙１００には、表面部１０１、裏面部１０２、後面部１０３、蓋面部１０４、折り込み部１０５、側面部１０６，１０７、耳部１０８が設けられ、各部分１０１〜１０８が折り目１００ｂを介して折起こされ、重なり合う２枚の側面部１０６，１０７は、糊付けされることによって包装箱が組み立てられる。
【０００４】
【特許文献１】登録実用新案第３１０９０８７号公報
【発明の開示】
【発明が解決しようとする課題】
【０００５】
特許文献１に開示された包装箱は、重なり合う２枚の側面部１０６，１０７が糊付けされているため、展開したダンボール紙１００の状態で、保管や輸送などが行われない。したがって、この包装箱は、保管や輸送などに際して、側面部１０６，１０７の高さ分だけ嵩張って積み重ねられる。また、この包装箱は、側面部１０６，１０７を糊付けしなければならないことから、生産性がよいものとなっていない。これらのことから、この包装箱は、コストダウンが十分になされているものとなっていない。
【０００６】
そこで、本発明は、保管や輸送などを効率的に行うことができ、しかも、容易に包装箱を組み立てることができるようにした包装材及びこの包装材によって組み立てられた包装箱を提供することを課題とする。
【課題を解決するための手段】
【０００７】
本発明に係る包装材は、交互に連続する多数の溝部と谷部とによって筋目が設けられ、かつ、該筋目と平行に２辺が設けられ、筋目と直角に他の２辺が設けられた正方形状の波形シートと、該波形シートの片面又は両面に貼り合わされた正方形状のライナーとからなる正方形状の段ボールシートに折り目及び切れ目が入れられた包装材であって、前記段ボールシートの各辺のほぼ中心部に切れ目が入れられ、直角方向に隣り合っている切れ目を結ぶ４本のラインに前記筋目を４５度斜め向きとする外側の折り目を入れることにより、各折り目と段ボールシートの各角部との間に三角形状の天板部が設けられ、前記外側の折り目よりも内側、かつ、外側の折り目と平行な４本のラインに内側の折り目を入れることにより、両折り目間に４枚の側部が設けられ、４本の内側の折り目の内側に正方形状の底部が設けられることを特徴としている。
【０００８】
この包装材によれば、包装箱を組み立てる前において、平坦な状態で展開され、多数枚積み重ねられて保管や輸送などを行うことができる。さらに、この包装材は、段ボールシートに入れられた内側の折り目で折り曲げられることにより、底部の４辺から立ち上がった４枚の側部を設け、外側の折り目で折り曲げられることにより、各側部に連続する４枚の三角形状の天板部を設け、各天板部の２辺同士が重なり合って作られる天部を有する包装箱を組み立てることができる。この包装箱は、底部、４枚の側部、４枚の天板部のいずれも、段ボールシートに設けられた筋目が外側及び内側の両折り目に対して４５度斜め向きとされるため、直角２方向（Ｘ方向とＹ方向）のいずれの方向から外力を受けても変形しにくいものとされている。
【０００９】
また、前記本発明に係る包装材において、直角方向に隣り合っている側部間に、内側に折り込まれる折込部が設けられていることが好ましい。この包装材によれば、直角方向に隣り合っている側部間に折込部が設けられ、この折込部が内側に折り込まれることにより、包装材から組み立てられた包装箱は、直角方向に隣り合っている側部間に隙間が生じないようにすることができ、さらに、各側部の両端部、すなわち包装箱の角部を補強することができる。
【００１０】
また、前記本発明に係る包装材において、前記段ボールシートの４箇所の角部に鉤形のスリットが設けられていることが好ましい。この包装材によれば、段ボールシートの４箇所の角部に鉤形のスリットが設けられていることにより、包装材から組み立てられた包装箱において、天板部の角部同士が重なり合い、対向する鉤形のスリットが引っ掛けられることによって、天板部は閉じた状態を維持することができる。
【００１１】
そして、本発明に係る包装箱は、前記本発明に係るいずれかの包装材が各折り目で直角方向に折り曲げられることによって組み立てられたことを特徴としている。
【００１２】
この包装箱によれば、接着剤を使用しなくても包装材から底部、４枚の側部、４枚の天板部を有するように組み立てられ、そして、この底部、４枚の側部、４枚の天板部のいずれも、段ボールシートに設けられた筋目が外側及び内側の両折り目に対して４５度斜め向きとされるため、直角２方向（Ｘ方向とＹ方向）のいずれの方向から外力を受けても変形しにくいものとされている。
【発明の効果】
【００１３】
本発明によれば包装材が平坦な状態に展開され、多数枚積み重ねることができるため、効率的に保管や輸送などを行うことができる。また、本発明は、接着剤を使用することなく包装材から包装箱を組み立てることができる。したがって、本発明に係る包装箱は、コストダウンを図ることができる。そして、組み立てられた包装箱は、筋目が外側及び内側の両折り目に対して４５度斜め向きとされ、外力を受けても変形しにくいようにされているため、包装された物品を確実に保護することができる。
【発明を実施するための最良の形態】
【００１４】
本発明に係る包装材及び包装箱の一実施形態を図１ないし図３を参照しながら説明する。この包装材は、図１に示すように、紙製又は軟質プラスチック製の段ボールシート１０に切れ目２０及び折り目３１，３２が入れられている。
【００１５】
段ボールシート１０は、正方形状の波形シート１１の両面に正方形状のライナー１２，１２を貼り合わせたものであるが、波形シート１１の片面にのみライナー１２を貼り合わせたものであってもよい。そして、波形シート１１は、交互に連続する多数の溝部と谷部（ともに採番せず）とによって筋目１３，１３…が設けられている。段ボールシート１０は、この筋目１３，１３…と平行に２辺１０ａ，１０ａが設けられ、筋目１３，１３…と直角に他の２辺１０ｂ，１０ｂが設けられている。
【００１６】
このような段ボールシート１０の各辺１０ａ，１０ｂ…の中心部には、切れ目２０，２０…が入れられている。各切れ目２０は、図１に示すように、一対の傾斜辺２１，２１と各傾斜辺２１，２１の両端を結ぶ円弧辺２２とによって切欠部を形成したものとされるが、図示しない切込みによって形成することもできる。
【００１７】
そして、直角方向に隣り合っている切れ目２０，２０を結ぶ４本のラインに外側の折り目３１，３１…が入れられている。この外側の折り目３１，３１…は、直角方向に隣り合っている切れ目２０を結ぶラインに入れられるため、筋目１３，１３…が外側の折り目３１，３１…に対して４５度斜め向きとなる。
【００１８】
この外側の折り目３１から段ボールシート１０の角部側には、三角形状の天板部４１が設けられている。また、各天板部４１，４１…の角部、すなわち、段ボールシート１０の４箇所の角部には、鉤形のスリット５０，５０…が設けられている。
【００１９】
そして、段ボールシート１０には、外側の折り目３１，３１…よりも内側、かつ、外側の折り目３１，３１…と平行な４本のラインに内側の折り目３２，３２…が入れられている。各内側の折り目３２，３２…の両端は、同じ位置にあり、４本の内側の折り目３２，３２…は、正方形の枠状に入れられる。この内側の折り目３２，３２…は、外側の折り目３１，３１…と平行であることから、筋目１３，１３…は内側の折り目３２，３２…に対しても４５度斜め向きとなる。
【００２０】
そして、外側の折り目３１，３１…と内側の折り目３２，３２…との間に４枚の側部４２，４２…が設けられ、内側の折り目３２，３２…の内側に正方形状の底部４３が設けられる。さらに、直角方向に隣り合っている側部４２，４２…間には４分の１円状の折込部４４，４４…が設けられる。この折込部４４，４４…の表裏面には、折り目、好ましくはミシン目（以下、「ミシン目」として説明する。）３３が入れられる。このミシン目３３は、折込部４４，４４…を法線方向に二分するラインに入れられる。
【００２１】
そして、天板部４１，４１…、側部４２，４２…及び底部４３内に設けられた筋目１３，１３…は、外側及び内側の両折り目３１，３２…に対して４５度斜め向きとなる。したがって、三角形状の天板部４１の一方の辺４１ａは、筋目１３，１３…と平行になり、他方の辺４１ｂは、筋目１３，１３…と直角になる。
【００２２】
このような包装材は、段ボールシート１０が外側及び内側の両折り目３１，３２…で直角方向に折り曲げられることによって、接着剤を使用しなくても包装箱に組み立てられる。すなわち、包装材は、図２に示すように、まず、段ボールシート１０を各内側の折り目３２，３２…で折り曲げて立ち上げられる。この時、折込部４４，４４…がミシン目３３で内側に折り込まれる。そして、段ボールシート１０を各外側の折り目３１，３１…で内側に折り曲げることにより、側部４２，４２…を立ち上げた状態とするともに、天板部４１，４１…を内向きとする。
【００２３】
すると、隣り合っている各天板部４１，４１の各辺４１a，４１ｂ同士が重なり合い、対向している天板部４１，４１のスリット５０，５０同士が嵌められる。スリット５０は、鉤形に形成されていることから、両天板部４１，４１の角部は、引っ掛かる状態となる。したがって、包装箱は、図３に示すように、天板部４１，４１…が拡開することなく、天部４０を設けた状態となり、物品（図示せず）を包装することができる。
【００２４】
この包装箱は、包装材の筋目１３，１３…が外側及び内側の両折り目３１，３２…に対して４５度斜め向きとされているため、直角２方向（Ｘ方向とＹ方向）のいずれの方向から外力を受けても変形しにくいものとされ、包装された物品を確実に保護する。また、折込部４４，４４…が内側に折り込まれていることにより、隣り合っている側部４２，４２間に隙間が生じないようにされ、さらに、各側部４２の両端部である包装箱の角部が補強されたものとなる。
【００２５】
なお、本発明は、前記の実施形態に限定することなく、特許請求の範囲に記載した技術的事項の範囲内において種々変更することができる。例えば、前記の実施形態では、包装材を内側の折り目３２，３２…で折り曲げてから外側の折り目３１，３１…で折り曲げると説明したが、外側の折り目３１，３１…で折り曲げてから内側の折り目３２，３２…で折り曲げてもよいし、同時であってもよい。
【００２６】
また、段ボールシート１０の４箇所の角部に鉤形のスリット５０を設けることなく、クリップなどによって、天板部４１を留めてもよい。また、各側部４２，４２…間に隙間が生じても差支えがない場合は、折込部４４，４４…を設けなくてもよい。
【図面の簡単な説明】
【００２７】
【図１】本発明に係る包装材の一実施形態を示す平面図及び一部分を拡大した断面正面図である。
【図２】本発明に係る包装材によって包装箱を組み立てている途中の一実施形態を示す斜視図である。
【図３】本発明に係る包装箱の一実施形態を示す斜視図である。
【図４】従来のダンボール紙の展開図である。
【符号の説明】
【００２８】
１０……段ボールシート
１０ａ…辺
１０ｂ…辺
１１……波形シート
１２……ライナー
１３……筋目
２０……切れ目
３１……外側の折り目
３２……内側の折り目
３３……折り目（ミシン目）
４１……天板部
４２……側部
４３……底部
４４……折込部
５０……スリット
【図１】
2009018842.tif 000003
【図２】
2009018842.tif 000004
【図３】
2009018842.tif 000005
【図４】
2009018842.tif 000006